(57)【要約】【課題】  被検眼から対物光学系までの距離をある程度確保しつつ、広画角範囲における被検眼の断層画像と２次元表面画像との両方を取得する眼科装置において、対物光学系として反射部材を用いた光学系における最適な光学配置を実現すること。【解決手段】  本装置は、被検査物に対する対物光学系として配置される楕円反射鏡である反射部材であって、第一の光と、第一の光の波長とは異なる波長帯域であって、可視の波長帯域を含む波長帯域における複数の波長の第二の光とを反射することにより、被検査物に照射する反射部材と、第一の光の波長と第二の光の波長とを分離する波長分離部材と、第二の光が反射部材により照射された被検査物からの戻り光に基づいて被検査物のカラー画像を含む画像を形成する画像形成手段と、を有し、波長分離部材の反射光路は、波長分離部材に対して被検査物とは反対側に設けられる。【選択図】  図１
2019051369.tif 000002
【特許請求の範囲】
【請求項１】
被検眼の眼底に照射する第一の光を出力する第一の光源と、
前記眼底に対して前記第一の光を走査する第一の走査手段と、
前記第一の光とは異なる波長帯域であって、可視の波長帯域を含む前記波長帯域における複数の波長の第二の光を出力する第二の光源と、
前記眼底に対して前記第二の光を走査する第二の走査手段と、
前記被検眼に対する対物光学系として配置される楕円反射鏡である反射部材であって、前記第一の走査手段からの光と前記第二の走査手段からの光とを反射することにより、前記眼底に照射する反射部材と、前記第一の走査手段から前記反射部材への光路と前記第二の走査手段から前記反射部材への光路とに設けられ、前記第一の走査手段から前記眼底への光路と前記第二の走査手段から前記眼底への光路とを合成し、前記眼底からの戻り光の光路を前記第一の走査手段が設けられた光路と前記第二の走査手段が設けられた光路とに分離する光路合成分離手段と、
前記第一の走査手段からの光が前記反射部材により照射された前記眼底からの戻り光を検出する第一の検出手段と、
前記第二の走査手段からの光が前記反射部材により照射された前記眼底からの戻り光を検出する第二の検出手段と、
前記第一の検出手段による検出結果に基づいて前記眼底の第一の画像を形成し、前記第二の検出手段による検出結果に基づいて前記眼底のカラー画像を含む第二の画像を形成する画像形成手段と、を有し、
前記光路合成分離手段の反射光路は、前記光路合成分離手段に対して前記被検眼とは反対側に設けられることを特徴とする眼科装置。
【請求項２】
前記被検眼の前眼部において前記反射部材の第一の焦点が形成され、
前記光路合成分離手段の透過光路に設けられた前記第一の走査手段において前記反射部材の第二の焦点が形成され、
前記光路合成分離手段の反射光路に設けられた前記第二の走査手段において前記反射部材の第三の焦点が形成されることを特徴とする請求項１に記載の眼科装置。
【請求項３】
前記反射部材は、楕円反射鏡であることを特徴とする請求項１または２に記載の眼科装置。
【請求項４】
前記楕円反射鏡の長軸をａ、短軸をｂとして、楕円率ａ／ｂが、
１．１＜ａ／ｂ＜２．４
を満たすことを特徴とする請求項３に記載の眼科装置。
【請求項５】
前記光路合成分離手段は、前記第一の光の波長と前記第二の光の波長とを分離する波長分離部材であることを特徴とする請求項１乃至４のいずれか１項に記載の眼科装置。
【請求項６】
前記光路合成分離手段は、ダイクロイックミラーであることを特徴とする請求項１乃至５のいずれか１項に記載の眼科装置。
【請求項７】
前記ダイクロイックミラーの反射面と、前記反射部材の第一の焦点と第二の焦点とを通る直線との成す角度αが、
−７°＜α＜５５°
を満たすことを特徴とする請求項６に記載の眼科装置。
【請求項８】
前記第一の光及び前記第二の光が前記被検眼に入射する角度の範囲が５５°以上であることを特徴とする請求項１乃至７のいずれか１項に記載の眼科装置。
【請求項９】
前記第一の光を前記眼底に向かう測定光と参照光とに分割する分割手段と、
前記測定光を照射した前記眼底からの戻り光と前記参照光とを合波させて干渉光を生成する干渉光生成手段と、を更に有し、
前記画像形成手段は、前記干渉光を前記第一の検出手段による検出結果に基づいて前記眼底の断層画像を形成することを特徴とする請求項１乃至８のいずれか１項に記載の眼科装置。
【請求項１０】
被検査物に対して第一の光を走査する第一の走査手段と、
前記第一の光とは異なる波長帯域であって、可視の波長帯域を含む前記波長帯域における複数の波長の第二の光を、前記被検査物に対して走査する第二の走査手段と、
前記被検査物に対する対物光学系として配置される楕円反射鏡である反射部材であって、前記第一の走査手段からの光と前記第二の走査手段からの光とを反射することにより、前記被検査物に照射する反射部材と、
前記第一の走査手段から前記反射部材への光路と前記第二の走査手段から前記反射部材への光路とに設けられ、前記第一の走査手段から前記被検査物への光路と前記第二の走査手段から前記被検査物への光路とを合成し、前記被検査物からの戻り光の光路を前記第一の走査手段が設けられた光路と前記第二の走査手段が設けられた光路とに分離する光路合成分離手段と、
前記第一の走査手段からの光が前記反射部材により照射された前記被検査物からの戻り光を検出する第一の検出手段と、
前記第二の走査手段からの光が前記反射部材により照射された前記被検査物からの戻り光を検出する第二の検出手段と、
前記第一の検出手段による検出結果に基づいて前記被検査物の第一の画像を形成し、前記第二の検出手段による検出結果に基づいて前記被検査物のカラー画像を含む第二の画像を形成する画像形成手段と、を有し、
前記光路合成分離手段の反射光路は、前記光路合成分離手段に対して前記被検査物とは反対側に設けられることを特徴とする光学装置。
【請求項１１】
前記光路合成分離手段は、前記反射部材と前記第一の走査手段との間に且つ前記反射部材と前記第二の走査手段との間に設けられ、前記第一の光の波長と前記第二の光の波長とを分離する波長分離部材であることを特徴とする請求項１０に記載の光学装置。
【請求項１２】
前記第一の走査手段は、前記光路合成分離手段の透過光路における前記反射部材の焦点の位置に設けられ、
前記第二の走査手段は、前記光路合成分離手段の反射光路における前記反射部材の焦点の位置に設けられることを特徴とする請求項１０または１１に記載の光学装置。
【請求項１３】
被検査物に対する対物光学系として配置される楕円反射鏡である反射部材であって、第一の光と、前記第一の光の波長とは異なる波長帯域であって、可視の波長帯域を含む前記波長帯域における複数の波長の第二の光とを反射することにより、前記被検査物に照射する反射部材と、
前記第一の光が前記反射部材により照射された前記被検査物からの戻り光を検出する第一の検出手段と、
前記第二の光が前記反射部材により照射された前記被検査物からの戻り光を検出する第二の検出手段と、
前記反射部材から前記第一の検出手段までの光路と、前記反射部材から前記第二の検出手段までの光路との一部の光路を共通とするために、前記第一の光の波長と前記第二の光の波長とを分離する波長分離部材と、
前記第一の検出手段による検出結果に基づいて前記被検査物の第一の画像を形成し、前記第二の検出手段による検出結果に基づいて前記被検査物のカラー画像を含む第二の画像を形成する画像形成手段と、を有し、
前記波長分離部材の反射光路は、前記波長分離部材に対して前記被検査物とは反対側に設けられることを特徴とする光学装置。
【請求項１４】
前記波長分離部材の透過光路における前記反射部材の焦点の位置に設けられ、前記被検査物に対して前記第一の光を走査する第一の走査手段と、
前記波長分離部材の反射光路における前記反射部材の焦点の位置に設けられ、前記被検査物に対して前記第二の光を走査する第二の走査手段と、
を有することを特徴とする請求項１３に記載の光学装置。
【請求項１５】
前記波長分離部材は、ダイクロイックミラーであることを特徴とする請求項１３または１４に記載の光学装置。
【発明の詳細な説明】
【技術分野】
【０００１】
本発明は、被検眼の眼底等を撮像する眼科装置に関する。
【背景技術】
【０００２】
現在、低コヒーレント光による干渉を利用した光干渉断層法（ＯＣＴ：ＯｐｔｉｃａｌＣｏｈｅｒｅｎｃｅ  Ｔｏｍｏｇｒａｐｈｙ）を用いて、被検査物の断層画像（眼底断層画像）を高解像度で撮影できる撮像装置（以下、ＯＣＴ装置）が実用化されている。また、眼科の分野において、レーザ走査により被検眼の眼底表面画像（被検査物の２次元表面画像）を高解像度で撮影する走査レーザ検眼鏡（ＳＬＯ：Ｓｃａｎｎｉｎｇ  Ｌａｓｅｒ  Ｏｐｈｔｈａｌｍｏｓｃｏｐｅ、以下、ＳＬＯ装置）が実用化されている。眼底検査では、眼底表面画像を観察しながら眼底断層画像を取得する領域を決定するなどの用途で、眼底表面画像と眼底断層画像とを眼底上の所望の領域で取得することが求められている。ここで、光路をダイクロイックミラーで分岐して、ＯＣＴ装置による眼底断層画像とＳＬＯ装置による２次元の眼底表面画像との両方を取得する眼科撮像装置が、特許文献１に開示されている。
【０００３】
ここで、眼底断層画像と眼底表面画像との両方を取得する眼科撮像装置では、特許文献１のように、対物光学系にレンズ等の屈折光学系が用いられるのが一般的である。屈折光学系は、対物光学系に対して被検眼の反対側から光を入射させるため、光路を眼や顔と干渉（接触）させずに合成・分離する空間の確保が比較的容易である。
【０００４】
また、小さな病変の兆候を見逃さないこと等を目的として、広画角範囲における眼底断層画像及び眼底表現画像を取得することが求められている。このとき、屈折光学系において、装置を大型化せずに、広画角範囲を撮影するためには、被検眼と光学系との距離（ワーキングディスタンス）を短くする必要がある。ワーキングディスタンスが短くなると、被検者の鼻や頬が対物光学系と干渉（接触）する可能性や、操作者が被検者の開瞼等の撮影補助操作が困難になる可能性がある。
【０００５】
ところで、対物光学系に反射鏡を用いた対物反射鏡の２つの焦点それぞれに被検眼と走査反射鏡（眼底に対して光を走査する走査手段）とを配置して、屈折光学系よりもコンパクトな構成で且つ広画角範囲における眼底表面画像を取得する眼科撮像装置が、特許文献２に開示されている。
【先行技術文献】
【特許文献】
【０００６】
【特許文献１】特開２００９−１６０１９０号公報
【特許文献２】特表２０１４−５０２５５２号公報
【発明の概要】
【発明が解決しようとする課題】
【０００７】
しかしながら、従来、被検眼の断層画像と２次元表面画像との両方を取得する眼科装置において、対物光学系として反射部材を用いたものはなかった。このため、当然のことながら、被検眼の断層画像と２次元表面画像との両方を取得する眼科装置において、対物光学系として反射部材を用いた光学系における最適な光学配置についても考えられていなかった。
【０００８】
本発明の目的の一つは、被検眼から対物光学系までの距離をある程度確保しつつ、広画角範囲における被検眼の断層画像と２次元表面画像との両方を取得する眼科装置において、対物光学系として反射部材を用いた光学系における最適な光学配置を実現することである。
【課題を解決するための手段】
【０００９】
本発明に係る眼科装置の一つは、
被検眼の眼底に照射する第一の光を出力する第一の光源と、
前記眼底に対して前記第一の光を走査する第一の走査手段と、
前記第一の光とは異なる波長帯域であって、可視の波長帯域を含む前記波長帯域における複数の波長の第二の光を出力する第二の光源と、
前記眼底に対して前記第二の光を走査する第二の走査手段と、
前記被検眼に対する対物光学系として配置される楕円反射鏡である反射部材であって、前記第一の走査手段からの光と前記第二の走査手段からの光とを反射することにより、前記眼底に照射する反射部材と、
前記第一の走査手段から前記反射部材への光路と前記第二の走査手段から前記反射部材への光路とに設けられ、前記第一の走査手段から前記眼底への光路と前記第二の走査手段から前記眼底への光路とを合成し、前記眼底からの戻り光の光路を前記第一の走査手段が設けられた光路と前記第二の走査手段が設けられた光路とに分離する光路合成分離手段と、
前記第一の走査手段からの光が前記反射部材により照射された前記眼底からの戻り光を検出する第一の検出手段と、
前記第二の走査手段からの光が前記反射部材により照射された前記眼底からの戻り光を検出する第二の検出手段と、
前記第一の検出手段による検出結果に基づいて前記眼底の第一の画像を形成し、前記第二の検出手段による検出結果に基づいて前記眼底のカラー画像を含む第二の画像を形成する画像形成手段と、を有し、
前記光路合成分離手段の反射光路は、前記光路合成分離手段に対して前記被検眼とは反対側に設けられる。
【発明の効果】
【００１０】
本発明の一つによれば、被検眼から対物光学系までの距離をある程度確保しつつ、広画角範囲における被検眼の断層画像と２次元表面画像との両方を取得する眼科装置において、対物光学系として反射部材を用いた光学系における最適な光学配置を実現することができる。
【図面の簡単な説明】
【００１１】
【図１】本発明の第１の実施形態における眼底画像取得装置の概略を示す模式図である。
【図２】本発明の第１の実施形態における光学系の構成を示す図である。
【図３】本発明の第１の実施形態における信号の形状を示す図である。
【図４】本発明の第１の実施形態における出力信号を示す図である。
【図５】本発明の第１の実施形態の断層像を示す図である。
【図６】本発明の第２の実施形態における光学系の構成を示す図である。
【図７】本発明の第３の実施形態における光学系の構成を示す図である。
【発明を実施するための形態】
【００１２】
本実施形態に係る光学装置は、被検査物に対して第一の光を走査する第一の走査手段からの光と、被検査物に対して第一の光とは異なる波長の第二の光を走査する第二の走査手段からの光とを反射することにより、被検査物に照射する反射部材（例えば、楕円反射鏡）を有する。また、本実施形態に係る光学装置は、第一の走査手段から反射部材への光路と第二の走査手段から反射部材への光路とに設けられた光路合成分離手段（例えば、波長分離部材の一例であるダイクロイックミラー）を有する。このとき、光路合成分離手段は、第一の走査手段から被検査物への光路（例えば、光路合成分離手段の透過光路）と第二の走査手段から被検査物への光路（例えば、光路合成分離手段の反射光路）とを合成する。また、光路合成分離手段は、被検査物からの戻り光の光路を第一の走査手段が設けられた光路と第二の走査手段が設けられた光路とに分離する。これにより、被検眼から対物光学系までの距離をある程度確保しつつ、広画角範囲における被検眼に対して異なる波長の複数の光を走査することができるため、例えば、被検眼の断層画像と２次元表面画像との両方を取得する眼科装置を提供することができる。
【００１３】
そして、光路合成分離手段の反射光路は、光路合成分離手段に対して被検査物とは反対側に設けられる。これにより、上記眼科装置において、被検者の鼻や頬が対物光学系と干渉（接触）することや、操作者が被検者の開瞼等の撮影補助操作が比較的容易になるため、対物光学系として反射部材を用いた光学系における最適な光学配置を実現することができる。
【００１４】
ここで、対物光学系にミラー等の反射光学系が用いられる場合、対物光学系に対して被検眼と同じ側から光を入射させる必要があるため、屈折光学系に比べて、光路が眼や顔と干渉（接触）し易い。このため、本実施形態では、被検眼の前眼部において反射部材の第一の焦点が形成され、また、光路合成分離手段の透過光路に設けられた第一の走査手段において反射部材の第二の焦点が形成されることが好ましい。また、光路合成分離手段の反射光路に設けられた第二の走査手段において反射部材の第三の焦点が形成されることが好ましい。これにより、屈折光学系よりもコンパクトな構成で且つ広い画角の範囲において、異なる波長の複数の光を走査することができる。
【００１５】
なお、反射部材の一例である楕円反射鏡の楕円率が１に近い程（すなわち、円に近い程）、被検査物の一例である被検眼と楕円反射鏡との距離（焦点距離）が長くなり、光路と眼や顔との干渉（接触）が起こり難い構成にできるが、楕円反射鏡を比較的大きくする必要がある（第１の実施形態を参照）。一方、楕円反射鏡の楕円率が大きい程、被検眼と楕円反射鏡との距離が短くなり、光路と眼や顔との干渉（接触）が起こり易い構成になるが、楕円反射鏡を比較的小さくすることができる（第２の実施形態を参照）。なお、楕円反射鏡の楕円率が１に近すぎると、第一の走査手段と第二の走査手段とが干渉（接触）してしまうため、楕円反射鏡の楕円率は１．１程度が好ましい（第３の実施形態を参照）。
【００１６】
ここで、第一の走査手段と第二の走査手段との一方は、ＯＣＴ装置の走査手段であることが好ましい。ＯＣＴ装置において、光源からの光は、ビームスプリッタなどにより、測定光と参照光とに分けられる。測定光は、測定光路を介して眼などの被検査物に照射される。そして、被検査物からの戻り光は参照光と合波され、干渉光として検出光路を介して検出器に導かれる。ここで、戻り光とは、被検査物に対する光の照射方向における界面に関する情報などが含まれる反射光や散乱光のことである。戻り光と参照光との干渉光を検出器で検出し、解析することによって被検査物の断層画像を得ることができる。また、第一の走査手段と第二の走査手段との他方は、ＳＬＯ装置の走査手段であることが好ましい。ここで、ＳＬＯ装置において、光源からの光は、ガルバノミラーなどにより、被検眼上を走査して照射される。被検眼からの反射光は、穴開き反射鏡などにより照明光路と分離され、検出器へ導かれる。検出器で反射光の強度を検出することによって、被検眼の２次元表面画像を得ることができる。以下、本発明を実施するための形態について、図面を参照しながら、以下に詳細に説明する。
【００１７】
［第１の実施形態：被検査物と反射部材との距離が長い］
本発明の第１の実施形態について、図１〜図５を用いて説明する。なお、本実施形態の装置により撮影できるものは、例えば、人間の網膜などの表面画像および断層画像である。
【００１８】
（装置構成）
本実施形態に係る眼科装置の一例である眼底画像取得装置について、図１を用いて説明する。本実施形態における第一の光源１は、第一の光（低コヒーレンス光）を発生させるための光源である。本実施形態において光源１には、中心波長８５０ｎｍ、帯域５０ｎｍのＳＬＤ（Ｓｕｐｅｒ  Ｌｕｍｉｎｅｓｃｅｎｔ  Ｄｉｏｄｅ）光源を用いる。なお、光源１には、ＡＳＥ（Ａｍｐｌｉｆｉｅｄ  Ｓｐｏｎｔａｎｅｏｕｓ  Ｅｍｉｓｓｉｏｎ）光源も適用することができる。また、光源１には、チタンサファイアレーザなどの超短パルスレーザ光源も適用することができる。このように、光源１は、低コヒーレンス光を発生させることの出来るものなら何でも良い。さらに、光源１から発生する光の波長は、特に制限されるものではないが、被検査物に応じて４００ｎｍから２μｍの範囲で選択される。波長の帯域は広いほど縦分解能がよくなる。一般的に中心波長が８５０ｎｍの場合、５０ｎｍの帯域では６μｍの縦分解能、１００ｎｍの帯域では３μｍの縦分解能である。
【００１９】
光源１を発した光は、導光部２により光分岐部３に導かれる。分割手段の一例である光分岐部３は、ファイバーカプラなどを適用することができる。なお、分岐の比率は被検査物に合わせて適切なものを選択する。
【００２０】
光分岐部３により導光部４側に分岐された光路上には、コリメータレンズ５、フォーカスレンズ６、走査反射鏡７、楕円反射鏡８、走査反射鏡９、波長分岐部材１０、対物楕円反射鏡１１が配置され、サンプルアームを構成する。走査反射鏡７および走査反射鏡９は、楕円反射鏡８の２つの焦点位置に配置され、第一の走査手段の一例である走査部３１を構成する。走査反射鏡７および走査反射鏡９は、互いに直交するＸ、Ｙ方向に光をそれぞれ走査するガルバノミラー又は共振ミラーなどが適用される。光路合成分離手段の一例である波長分岐部材１０（波長分離部材）は、光源１を発した光（波長：λ＝８００〜９００ｎｍ）を透過する。波長分岐部材１０には、多層膜により形成されたダイクロイックミラーなどが適用される。導光部４に導かれた光は、サンプルアームを通り、反射部材の一例である対物楕円反射鏡１１で反射され、被検眼Ｅの眼底Ｅｆに達する。なお、走査部３１は、楕円反射鏡８を用いずに、走査反射鏡７と走査反射鏡９とを近接して配置する構成でも良い。このとき、走査反射鏡７と走査反射鏡９とが、対物楕円反射鏡１１の集光位置の近傍に配置される。すなわち、走査反射鏡７と走査反射鏡９とが、被検眼Ｅの前眼部に対して光学的に略共役な位置に配置される。また、走査反射鏡７と走査反射鏡９とが一体型の走査部材として構成されても良い。
【００２１】
光分岐部３により導光部１２側に分岐された光路上にはコリメータレンズ１３、参照反射鏡１４が配置され参照アームを構成する。参照反射鏡１４は、直動ステージ（不図示）上に配置され、直動ステージを光軸方向に移動することにより、参照アームの光路長を調整する。
【００２２】
レンズ１６、回折格子であるグレーティングやプリズムなどで構成される分光部１７、結像レンズ１８、およびＣＭＯＳやＣＣＤ等の光電変換素子を有する検出部１９は、分光器を構成する。光分岐部３に接続された導光部１５により、光分岐部３からの光は分光器に導かれる。ここで、検出部１９は、第一の検出手段の一例である。
【００２３】
一方、本実施形態における第二の光源２１は、第一の光源１からの第一の光の波長とは異なる波長の第二の光を発生させるための光源である。本実施形態において光源２１には、中心波長７８０ｎｍのＬＥＤ（Ｌｉｇｈｔ−ｅｍｉｔｔｉｎｇ  Ｄｉｏｄｅ）光源を用いる。なお、光源２１には、ＬＤ（Ｌａｓｅｒ  Ｄｉｏｄｅ）光源も適用することができる。このように、光源２１は、光源１とは異なる波長の光を発生させることの出来るものなら何でも良い。
【００２４】
光源２１から射出した光の光路上には、コリメータレンズ２２、穴開き反射鏡２３、フォーカスレンズ２４、走査反射鏡２５、楕円反射鏡２６、走査反射鏡２７、波長分岐部材１０、対物楕円反射鏡１１が配置される。
【００２５】
光源２１からの光は、穴開き反射鏡２３の光軸上に構成された穴を通過する。走査反射鏡２５および走査反射鏡２７は、楕円反射鏡２６の２つの焦点位置に配置され、第二の走査手段の一例である走査部３２を構成する。走査反射鏡２５および走査反射鏡２７は、互いに直交するＸ、Ｙ方向に光をそれぞれ走査するガルバノミラー又は共振ミラーなどが適用される。波長分岐部材１０は、光源２１を発した光（波長：λ＝７８０ｎｍ）を反射する。波長分岐部材１０で反射された光は、対物楕円反射鏡１１に反射され、被検眼Ｅの眼底Ｅｆに達する。なお、走査部３２は、楕円反射鏡２６を用いずに、走査反射鏡２５と走査反射鏡２７とを近接して配置する構成でも良い。このとき、走査反射鏡２５と走査反射鏡２７とが、対物楕円反射鏡１１の集光位置の近傍に配置される。すなわち、走査反射鏡２５と走査反射鏡２７とが、被検眼Ｅの前眼部に対して光学的に略共役な位置に配置される。また、走査反射鏡２５と走査反射鏡２７とが一体型の走査部材として構成されても良い。
【００２６】
さらに、眼底Ｅｆで反射された光は、眼底入射時と同一の光路を戻り、穴開き反射鏡２３の周辺部分で反射される。穴開き反射鏡２３で反射された光の光路上には、結像レンズ２８、およびＡＰＤ等の光電変換素子を有する検出部２９が配置される。ここで、検出部２９は、第二の検出手段の一例である。
【００２７】
制御部２０は、参照反射鏡１４が配置された直動ステージ（不図示）、検出部１９、検出部２９等の制御を行う。また、制御部２０には表示部３０が接続されている。
【００２８】
（光学系構成）
次に第１の実施形態における光学系の構成について、図２を用いてより詳細に説明する。なお、図２は、光源から走査部までの光路は省略して示している。
【００２９】
走査部３１Ａは、走査反射鏡７Ａ、楕円反射鏡８Ａ、走査反射鏡９Ａから構成されている。また、走査部３１Ａは、波長分岐部材１０Ａの透過光路に設けられている。走査反射鏡７Ａ、走査反射鏡９Ａは、それぞれ楕円反射鏡８Ａの２つの焦点位置に配置されており、かつ、走査反射鏡９Ａは、対物楕円反射鏡１１Ａの２つの焦点のうち一方の焦点位置（第二の焦点の位置）に配置されている。対物楕円反射鏡１１Ａのもう一方の焦点位置（第一の焦点の位置）には、被検眼Ｅ（不図示）が配置されており、走査反射鏡７Ａ、走査反射鏡９Ａ、被検眼Ｅの瞳孔位置が、それぞれ光学的に共役な位置に配置されている。よって、各走査反射鏡で光を走査させることで、所望の眼底Ｅｆ上位置の２次元走査を可能としている。
【００３０】
また、走査部３２Ａは、走査反射鏡２５Ａ、楕円反射鏡２６Ａ、走査反射鏡２７Ａから構成されている。また、走査部３２Ａは、波長分岐部材１０Ａの反射光路に設けられている。走査反射鏡２５Ａ、走査反射鏡２７Ａは、それぞれ楕円反射鏡２６Ａの２つの焦点位置に配置されており、かつ、走査反射鏡２７Ａは、波長分岐部材１０Ａによって光が反射されて形成された対物楕円反射鏡１１Ａの焦点位置（第三の焦点の位置）に配置されている。前述のように、対物楕円反射鏡１１Ａのもう１つの焦点位置（第一の焦点の位置）には被検眼Ｅが配置されており、走査反射鏡２５Ａ、走査反射鏡２７Ａ、被検眼Ｅの瞳孔位置がそれぞれ光学的に共役な位置に配置されている。よって、各走査反射鏡で光を走査させることで、所望の眼底Ｅｆ上の位置の２次元走査を可能としている。
【００３１】
走査部３１Ａおよび走査部３２Ａから対物楕円反射鏡１１Ａへ向かう光路中には、波長分岐部材１０Ａが配置されており、それぞれの光は同一の光学系の光路に合成され、対物楕円反射鏡１１Ａを介して、被検眼Ｅの眼底Ｅｆへ入射する。さらに、眼底Ｅｆで反射し、対物楕円反射鏡１１Ａで反射した光は、波長分岐部材１０Ａによって、別々の光学系の光路に分離される。これにより、走査部３１Ａおよび走査部３２Ａは、互いに独立に眼底Ｅｆ上の所望の位置を同時に走査することができる。
【００３２】
対物楕円反射鏡１１Ａの一方の焦点に被検眼Ｅを、もう一方の焦点に走査部３１Ａを配置するとき、被検者の頭と走査部３１Ａとの空間的な干渉を避けるよう２つの焦点間の距離を確保する必要がある。ここで、ある一定の焦点間距離を確保したとき、対物楕円反射鏡１１Ａの楕円率を小さくすると、被検眼Ｅと対物楕円反射鏡１１Ａの反射面との距離は長くなり、対物楕円反射鏡１１Ａに必要な光学有効領域は大きくなる。よって、楕円率を小さくしたほうが、被検眼Ｅと対物楕円反射鏡１１Ａの反射面との距離（ワーキングディスタンス）をより長く確保するのが容易になる。ワーキングディスタンスが長くなると、光学系を被検者の鼻や頬と干渉させることなく配置するのに有利になる。逆に、対物楕円反射鏡１１Ａの楕円率を大きくすると、被検眼Ｅと対物楕円反射鏡１１Ａの反射面の距離は短くなり、対物楕円反射鏡１１Ａに必要な光学有効領域は小さくなる。対物楕円反射鏡１１Ａが小さくなると、走査部３１Ａを配置する焦点と対物楕円反射鏡１１Ａの反射面との距離が長くなり、２つの走査部や波長分岐部材１０Ａを空間的に干渉させることなく配置することが容易になる。よって、楕円率を大きくすると、よりコンパクトな空間に、走査部３１Ａ、走査部３２Ａ、波長分岐部材１０Ａ、対物楕円反射鏡１１Ａを、互いに空間的に干渉させることなく配置するのに有利になる。
【００３３】
ここで、本発明の光学系において、対物楕円反射鏡１１の楕円率ａ／ｂは、
１．１＜ａ／ｂ＜２．４  ・・・（１）
を満たすのがよい。ただし、対物楕円反射鏡１１の反射面の楕円形状の長軸をａ、短軸をｂとしている。長軸ａは、対物楕円反射鏡１１の２つの焦点を通る直線と、反射面形状を光学有効領域外まで延長した楕円との２つの交点間の長さである。また、短軸ｂは、対物楕円反射鏡１１の２つの焦点を結ぶ直線の中点を通り、長軸ａと直交する直線と、反射面形状を光学有効領域外まで延長した楕円との２つの交点間の長さである。すなわち対物楕円反射鏡１１の反射面は、長軸ａ、短軸ｂの楕円で、かつ、長軸ａに対して回転対称な回転楕円体の一部分で構成されている。
【００３４】
（１）式の下限を超えると、対物楕円反射鏡１１が大きくなり、２つの走査部や波長分岐部材１０を配置するための空間が狭くなる。よって、各走査反射鏡や駆動機構などを互いに空間的に干渉させることなく配置することが困難になる。一方、（１）式の上限を超えると、被検眼Ｅと対物楕円反射鏡１１の反射面との距離が短くなり、光学系が被検者の鼻や頬と干渉しやすくなる。よって、所望の撮影領域の画像を取得することが困難になるため好ましくない。
【００３５】
また、波長分岐部材１０で２つの光路を合成分離するとき、波長分岐部材１０は、対物楕円反射鏡１１から被検眼Ｅに入射する光路を遮らない位置に配置する必要がある。また、走査部３１および走査部３２の各走査反射鏡や駆動機構などが互いに空間的に干渉しないように、各素子を配置する空間を確保する必要がある。さらに、走査部３２から波長分岐部材１０へ向かう光路が対物楕円反射鏡１１に空間的に干渉しない必要がある。
【００３６】
ここで、本発明の光学系において、波長分岐部材１０の反射面と、対物楕円反射鏡１１の２つの焦点を通る直線との成す角度αが
−７°＜α＜５５°  ・・・（２）
を満たすのがよい。ただし、αの符号は、図２において、対物楕円反射鏡１１の２つの焦点を通る直線と、波長分岐部材１０の反射面を光学有効領域外まで延長した直線の交点を回転中心としたとき、２つの焦点を通る直線を基準として右回りを正としている。
【００３７】
（２）式の下限を超えると、波長分岐部材１０と走査部３１との距離が短くなり、走査部３１と走査部３２との距離も短くなる。よって、各走査反射鏡や駆動機構などを互いに空間的に干渉させることなく配置することが困難になる。一方、（２）式の上限を超えると、走査部３２から波長分岐部材１０へ向かう光路と対物楕円反射鏡１１との距離が短くなる。また、対物楕円反射鏡１１の画角をより広くしていくと、走査部３２から波長分岐部材１０へ向かう光路と対物楕円反射鏡１１との距離はより短くなる。よって、広い画角範囲を確保しつつ、走査部３２から波長分岐部材１０へ向かう光路を対物楕円反射鏡１１と空間的に干渉させることなく各素子を配置することが困難になるため好ましくない。
【００３８】
本発明の光学系は、（１）式および（２）式を満たすことで、とくに広い画角範囲の眼底上の領域を撮影するのに適している。例えば、被検眼Ｅへ入射する光の角度範囲が５５°以上の広い画角範囲を撮影するのに好適である。
【００３９】
本実施形態では、対物楕円反射鏡１１Ａの反射面形状の楕円率は、ａ／ｂ＝１．４０としており、（１）式を満たしている。また、波長分岐部材１０Ａの角度は、α＝１４°としており、（２）式を満たしている。これにより、対物楕円反射鏡１１Ａと走査部３１Ａおよび走査部３２Ａとの間に、波長分岐部材１０Ａを空間的に干渉させることなく配置することができている。
【００４０】
本実施形態では、対物楕円反射鏡１１Ａの２つの焦点間の距離は、Ｌ＝２００ｍｍとしており、被検眼Ｅが配置されている対物楕円反射鏡１１Ａの焦点から反射面までの距離は、Ｄ＝７３ｍｍである。また、被検眼Ｅに入射する光の画角範囲は９０°である。
【００４１】
このように、本実施形態の光学系は、長いワーキングディスタンスを確保しつつ、広い画角範囲に渡って、眼底Ｅｆ上の２つの異なる領域を同時に走査可能に構成できている。
【００４２】
（測定方法）
次にこのような構成の装置で被検眼Ｅの眼底Ｅｆの網膜画像を取得する方法について、再び図１を用いて説明する。
【００４３】
被検眼Ｅを本装置の前に配置すると、操作者の指示により、制御部２０は、光源２１を点灯させる。このとき、制御部２０は走査反射鏡２５および走査反射鏡２７を駆動させ、光源２１からの光で被検眼Ｅを２次元走査して照明する。
【００４４】
光源２１からの光は、コリメータレンズ２２により平行光に変換され、穴開き反射鏡２３の光軸上に構成された穴を通過する。さらに、穴を通過した光は、フォーカスレンズ２４を透過し、順に、走査反射鏡２５、楕円反射鏡２６、走査反射鏡２７、波長分岐部材１０、対物楕円反射鏡を反射することにより被検眼Ｅの前眼部に入射する。
【００４５】
このように照明された前眼部からの反射光は、入射時と同一の光路を戻り、穴開き反射鏡２３の周辺部で反射され、レンズ２８により検出部２９の検出面に結像される。検出部２９からの映像信号（第二の検出手段による検出結果）は、第二の画像形成手段の一例である制御部２０に入力されデジタルデータにリアルタイムに変換され、前眼部像が生成される。
【００４６】
撮影面の中心と撮像光学系の光軸は一致するように調整されているため、検出部２９で撮影された前眼部像の瞳孔中心と撮影中心の偏心量が被検眼Ｅと撮像光学系の偏心量に相当する。撮像光学系は、被検眼Ｅに対し、上下左右、さらに光軸方向に位置調整可能に不図示のステージ上に配置されている。前眼部像は表示部３０に表示され、操作者は、この画像を確認しながらステージを駆動させ、瞳孔中心と光軸が一致するように、上下左右の位置を調整する。
【００４７】
上下左右の位置を調整したら、走査される各画角の光束が集光する基準点であるピボットポイントが被検眼Ｅの瞳孔位置に合うように光軸方向の位置調整を行う。撮像光学系の位置を光軸方向に調整し、ワーキングディスタンスを短くしていくと、表示部３０には本実施形態における第二の画像である眼底像が表示される。操作者は、この画像を確認しながらステージを駆動させ、眼底画像の周辺部のケラレが小さくなるように光軸方向の位置を調整する。
【００４８】
光軸方向の位置を調整したら、眼底Ｅｆにピントが合うようにフォーカス位置を調整する。フォーカスレンズ２４は、光軸方向に位置調整可能に不図示のステージ上に配置されている。フォーカスレンズ２４の位置を光軸方向に駆動させると、撮像光学系のフォーカス位置が変化する。操作者は、表示部３０に表示される画像を確認しながらステージを駆動させ、画像の輝度またはコントラストが最も高くなるように、フォーカスレンズ２４の位置を調整する。このとき、フォーカスレンズ２４の制御位置情報は、制御部２０によって常にメモリーに記憶される。
【００４９】
前述の調整が完了すると、操作者の指示により、制御部２０は、光源１を点灯させ、さらに、走査反射鏡７および走査反射鏡９を駆動させて、光は被検眼Ｅの眼底Ｅｆを２次元走査する。
【００５０】
光源１からの光は、導光部２により光分岐部３に導かれ、導光部４と導光部１２に導かれる光量の比が、例えば１：９になるように分岐される。導光部４側に導かれた光は、ファイバー端４ａに達する。ファイバー端４ａを点光源として発した光は、コリメータレンズ５により平行光に変換され、フォーカスレンズ６を透過し、順に、走査反射鏡７、楕円反射鏡８、走査反射鏡９を反射し、波長分岐部材１０を透過し、対物楕円反射鏡１１を反射することより被検眼Ｅの瞳孔より眼底Ｅｆに入射する。
【００５１】
ここで、フォーカスレンズ６は光軸方向に位置調整可能に不図示のステージ上に配置されている。また、メモリーには、前述のフォーカスレンズ２４の制御位置情報と、フォーカスレンズ２４およびフォーカスレンズ６の各位置と各光学系のフォーカス位置との関係情報が記憶されている。よって、これらの情報より、前述のフォーカス調整時に記憶されたフォーカスレンズ２４の制御位置情報に基づいて、フォーカスレンズ６の位置を調整する。
【００５２】
眼底Ｅｆの網膜を構成する複数の層で反射・散乱された戻り光は、入射時と同一の光路を戻り、コリメータレンズ５を経てファイバー端４ａより導光部４に入り、光分岐部３に導かれる。さらに、光分岐部３では、導光部２と導光部１５に導かれる光量の比が１：９になるように分岐される。
【００５３】
一方、光分岐部３より導光部１２に導かれた光は、ファイバー端１２ａから出射されレンズ１３により平行光に変換され参照反射鏡１４に向かう。参照反射鏡１４は、平行光と垂直に配置され、また、光軸方向に移動可能な直動ステージ（不図示）上に配置されている。これにより、異なる眼軸長の被検眼Ｅに対しても、参照光路と測定光路の光路長を合わせることができる。参照反射鏡１４で反射された参照光は、レンズ１３により導光部１２のファイバー端１２ａに集光され、導光部１２により光分岐部３に導かれ導光部２と導光部１５に分岐される。このときの分岐比は、被検眼Ｅからの戻り光とは逆であり、９：１である。
【００５４】
本実施形態における干渉光生成手段である導光部１５に導かれた光は、眼底Ｅｆからの戻り光との合波光となり、コリメータレンズ１６により平行光に変換され、分光部１７に入射する。分光部１７には、光の波長に近い寸法の回折格子が等間隔に数多く形成されており、入射した光を回折により分光する。回折角度は波長により異なるため、回折された光は、結像レンズ１８により線像として検出部１９のライン状の受光領域に結像する。すなわちファイバー端１５ａを出射した光は、分光されたスリット像として結像する。したがって検出部１９からは、波長毎の強度に対応した信号が出力される。
【００５５】
検出部１９からの信号（第一の検出手段による検出結果）は、第一の画像形成手段の一例である制御部２０に入力され、本実施形態における第一の画像である断層像が生成され表示部３０に表示される。操作者は、表示部３０に表示された断層像の輝度を見ながら、表示領域の所望の領域に関心部位の断層像が位置するように参照反射鏡１４の位置調整（コヒーレンスゲート調整）を行う。制御部２０は、操作者の指示に応じて、直動ステージの位置を移動させるとともに、メモリー（不図示）に記憶している直動ステージの制御位置情報を移動量に応じて変更する。直動ステージは、不図示のステッピングモータにより駆動制御されており、直動ステージの位置は、ステッピングモータに指示するステップ数と対応している。例えば、６０ｍｍのストロークを６００００ステップで駆動する場合１ステップあたりの移動量は１μｍになる。０〜６００００までのステップ数が、直動ステージの０〜６０ｍｍの位置に対応する。またこの直動ステージの基準位置からレンズ１３までの距離は設計的に精度よく配置されておりこの基準位置と前記ステージ位置の関係も設計的に明らかであるため、このステップ数より参照光路長を計算することができる。このように参照反射鏡１４の位置の変化とともに、参照光路の光路長が変化する。これにより、表示領域の断層像の表示位置が変化する。参照反射鏡１４の位置は常にメモリーに記憶されている。以上の撮影準備の後、撮影ボタン（不図示）が指示されると、断層像の静止画撮影を行う。これにより、撮影された断層画像は、メモリーに記憶される。
【００５６】
（断層像生成）
次に断層像の生成について説明する。
【００５７】
断層画像撮影時には、導光部１５には、被検眼Ｅの眼底Ｅｆからの戻り光と、参照反射鏡１４から反射された参照光との合波光が導かれる。光分岐部３から眼底Ｅｆまでの光路長と、光分岐部３から参照反射鏡１４までの光路長の差により、光分岐部３で合波されるとき、戻り光と参照光は位相差を有する。この位相差は波長により異なるため、撮像部１９の受光領域上に現れる分光強度分布には干渉縞が生じる。また、網膜には複数の層があり、それぞれの層境界からの戻り光はそれぞれ異なる光路長を有するため、干渉縞には、異なる周波数の干渉縞が含まれる。この強度分布に含まれる干渉縞の周波数とその強度より、反射物体の位置とその位置からの反射・散乱に対応した明るさを求めることができる。
【００５８】
眼底上の１ラインを走査するＢスキャンモードにおいては、制御部２０は、走査反射鏡７、走査反射鏡９のＸ、Ｙの走査反射鏡の１つ、例えば、Ｘ走査反射鏡だけを駆動しながら、撮像部１９からの出力を読み出す。走査反射鏡７、または、走査反射鏡９からは、走査反射鏡の角度を示すデータが出力されており、読み出された信号は走査反射鏡の角度と共にデジタルデータに変換され、さらに光が被検眼Ｅに入射する角度θｉに変換されてメモリーに記憶される。走査反射鏡の角度と光線の入射角θｉは、対応しており、光学系の設計値より求める。
【００５９】
図３は、走査反射鏡の角度θｉにおける撮像部１９上の光の強度分布を示す。横軸は、撮像部１９上のセンサー位置であり、波長に対応する。縦軸は、信号強度である。ここでは、中心波長λ０、半値幅δλの強度分布に対して、干渉縞による波形が重なっている。
【００６０】
この波形の強度情報を読み出し、Ａ／Ｄ変換器によりデジタルデータに変換し、メモリーに記憶する。このデータを波数変換し、周波数変換すると図４に示すような強度分布が得られる。これはｈ１、ｈ２、ｈ３の距離（コヒーレンスゲートからの距離）のところの干渉強度がＩ１、Ｉ２、Ｉ３であることを示す。したがって、スキャンミラーの角度θｉを、θｓからθｅまで変化させながら、干渉強度を測定する。このように取得した干渉強度Ｉ（θｉ，ｈｊ）を、θを横軸、ｈを縦軸にして表示することにより図５に示すように眼底のＢスキャン画像（光学的な距離に基づく画像）を表示することができる。
【００６１】
このように本実施形態によれば、対物光学系に楕円反射鏡を用い、対物楕円反射鏡と２つの走査部との間に波長分岐部材を配置することにより、広い画角範囲に渡って、眼底表面画像と眼底断層画像をそれぞれ所望の撮影領域で同時に取得することができる。
【００６２】
［第２の実施形態：被検査物と反射部材との距離が短いが、反射部材が比較的小さい］
次に、第２の実施形態について、図６を用いて説明する。図６は、本実施形態の光学系の構成であり、光源から走査部までの光路は省略して示している。本実施形態では、対物楕円反射鏡１１Ｂの形状の楕円率ａ／ｂ＝２．３５としており、（１）式を満たしている。また、波長分岐部材１０Ｂの反射面と、対物楕円反射鏡１１Ｂの２つの焦点を通る直線との成す角度α＝５０°としており、（２）式を満たしている。これにより、対物楕円反射鏡１１Ｂ、波長分岐部材１０Ｂ、走査部３１Ｂ、走査部３２Ｂを互いに空間的に干渉させることなく構成できている。
【００６３】
本実施形態では、対物楕円反射鏡１１Ｂの２つの焦点間の距離は、Ｌ＝２００ｍｍとしており、被検眼Ｅ（不図示）が配置されている対物楕円反射鏡１１Ｂの焦点から反射面までの距離は、Ｄ＝２０ｍｍである。また、被検眼Ｅに入射する光の画角範囲は９０°である。
【００６４】
本実施形態では、第１の実施形態に比べ、対物楕円反射鏡１１Ｂの楕円率をより大きくしている。これにより、よりコンパクトな光学系でありながら、広い画角範囲に渡って、眼底上の異なる２つの所望の撮影領域を同時に走査可能に構成できている。
【００６５】
［第３の実施形態：第一の走査手段と第二の走査手段とが近接］
また、第３の実施形態について、図７を用いて説明する。図７は、本実施形態の光学系の構成であり、光源から走査部までの光路は省略して示している。本実施形態では、対物楕円反射鏡１１Ｃの形状の楕円率ａ／ｂ＝１．１５としており、（１）式を満たしている。また、波長分岐部材１０Ｃの反射面と、対物楕円反射鏡１１Ｃの２つの焦点を通る直線との成す角度α＝−６°としており、（２）式を満たしている。これにより、対物楕円反射鏡１１Ｃ、波長分岐部材１０Ｃ、走査部３１Ｃ、走査部３２Ｃを、互いに空間的に干渉させることなく構成できている。
【００６６】
本実施形態では、対物楕円反射鏡１１Ｃの２つの焦点間の距離は、Ｌ＝２００ｍｍとしており、被検眼Ｅ（不図示）が配置されている対物楕円反射鏡１１Ｃの焦点から反射面までの距離は、Ｄ＝１５３ｍｍである。また、被検眼Ｅに入射する光の画角範囲は９０°である。
【００６７】
本実施形態では、第１の実施形態に比べ、対物楕円反射鏡１１Ｃの楕円率をより小さくしている。これにより、より長いワーキングディスタンスが確保しながら、広い画角範囲に渡って、眼底上の異なる２つの所望の撮影領域を同時に走査可能に構成できている。
【００６８】
［その他の実施形態］
以上、本発明の好ましい実施形態について説明したが、本発明はこれらの実施形態に限定されないことはいうまでもなく、その要旨の範囲内で種々の変形および変更が可能である。
【００６９】
例えば、第１から第３の実施形態の光学系では、走査部の楕円反射鏡の２つの焦点を被検眼Ｅの瞳孔と光学的に共役な位置になるよう配置し、各焦点位置にそれぞれ走査反射鏡を配置している。しかし、走査部に楕円反射鏡を配置せず、瞳孔と光学的に共役な光路上の位置の前後に２つの走査反射鏡を配置する構成としてもよい。この場合、走査部の楕円反射鏡が不要になり、光学系をより簡単な構成とすることができる。
【００７０】
また、光源２１は、互いに波長が異なる複数の光源からの光をダイクロイックミラーで光路を合成させるなどして、複数の波長を含む構成としてもよい。例えば、可視のＲＧＢ光を眼底Ｅｆに照射し、眼底Ｅｆで反射された各波長の光を検出し、処理することで、眼底Ｅｆのカラー画像を取得することができる。このとき、走査部から対物楕円反射鏡１１までは主に反射鏡で構成されており、反射鏡では色収差が生じないため、光学系の色収差低減に有利になる。よって、色収差によるＲＧＢ画像ごとの画質の差を小さく抑えることができ、より高画質なカラー画像を取得するのに有利になる。また、このとき、走査部３２の走査タイミングに合わせて、可視光源をオンオフさせることで、走査領域の任意の位置に、被検者の眼の向きを誘導するための指標（固視灯）を点灯させてもよい。この場合、撮影中の眼の動きを抑制でき、より高画質の画像を取得するのに有利になる。
【００７１】
また、光源２１に眼底蛍光の励起光源を配置し、穴開き反射鏡２３と検出部１９との間に、励起光を遮光し蛍光光を透過するバリアフィルタを配置してもよい。この場合、広い画角範囲に渡って眼底Ｅｆの蛍光造影画像を取得することができる。
【００７２】
また、第１の実施形態では、断層画像を取得するシステムとして広帯域光源と分光器を用いたＳＤ−ＯＣＴ（Ｓｐｅｃｔｒａｌ−ｄｏｍａｉｎ  ＯＣＴ）システムを適用しているが、波長可変光源を用いたＳＳ−ＯＣＴ（Ｓｗｅｐｔ−Ｓｏｕｒｃｅ  ＯＣＴ）システムを適用してもよい。また、第１の実施形態では、眼底Ｅｆからの戻り光が、波長分岐部材１０で反射される光路で表面画像を取得し、透過される光路で断層画像を取得しているが、逆に、波長分岐部材１０で反射される光路で断層画像を取得し、透過される光路で表面画像を取得してもよい。これらの場合でも、第１の実施形態と同様に、広い画角範囲に渡って、眼底表面画像と眼底断層画像をそれぞれ所望の領域で同時に取得することができる。
【００７３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2019051369.tif 000003
【図２】
2019051369.tif 000004
【図３】
2019051369.tif 000005
【図４】
2019051369.tif 000006
【図５】
2019051369.tif 000007
【図６】
2019051369.tif 000008
【図７】
2019051369.tif 000009
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
被検眼の眼底に照射する第一の光を出力する第一の光源と、
前記眼底に対して前記第一の光を走査する第一の走査手段と、
前記第一の光とは異なる波長帯域であって、可視の波長帯域を含む前記波長帯域における複数の波長の第二の光を出力する第二の光源と、
前記眼底に対して前記第二の光を走査する第二の走査手段と、
前記被検眼に対する対物光学系として配置される楕円反射鏡である反射部材であって、前記第一の走査手段からの光と前記第二の走査手段からの光とを反射することにより、前記眼底に照射する反射部材と、前記第一の走査手段から前記反射部材への光路と前記第二の走査手段から前記反射部材への光路とに設けられ、前記第一の走査手段から前記眼底への光路と前記第二の走査手段から前記眼底への光路とを合成し、前記眼底からの戻り光の光路を前記第一の走査手段が設けられた光路と前記第二の走査手段が設けられた光路とに分離する光路合成分離手段と、
前記第一の走査手段からの光が前記反射部材により照射された前記眼底からの戻り光を検出する第一の検出手段と、
前記第二の走査手段からの光が前記反射部材により照射された前記眼底からの戻り光を検出する第二の検出手段と、
前記第一の検出手段による検出結果に基づいて前記眼底の第一の画像を形成し、前記第二の検出手段による検出結果に基づいて前記眼底のカラー画像を含む第二の画像を形成し、前記第二の走査手段により前記眼底に対して走査された励起光を用いて得た前記眼底の蛍光画像を形成する画像形成手段と、を有し、
前記光路合成分離手段の反射光路は、前記光路合成分離手段に対して前記被検眼とは反対側に設けられることを特徴とする眼科装置。
【請求項２】
前記被検眼の前眼部において前記反射部材の第一の焦点が形成され、
前記光路合成分離手段の透過光路及び反射光路のうち一方の光路に設けられた前記第一の走査手段において前記反射部材の第二の焦点が形成され、
前記光路合成分離手段の他方の光路に設けられた前記第二の走査手段において前記反射部材の第三の焦点が形成されることを特徴とする請求項１に記載の眼科装置。
【請求項３】
前記反射部材は、楕円反射鏡であることを特徴とする請求項１または２に記載の眼科装置。
【請求項４】
前記楕円反射鏡の長軸をａ、短軸をｂとして、楕円率ａ／ｂが、
１．１＜ａ／ｂ＜２．４
を満たすことを特徴とする請求項３に記載の眼科装置。
【請求項５】
前記光路合成分離手段は、前記第一の光の波長と前記第二の光の波長とを分離する波長分離部材であることを特徴とする請求項１乃至４のいずれか１項に記載の眼科装置。
【請求項６】
前記光路合成分離手段は、ダイクロイックミラーであることを特徴とする請求項１乃至５のいずれか１項に記載の眼科装置。
【請求項７】
前記ダイクロイックミラーの反射面と、前記反射部材の第一の焦点と第二の焦点とを通る直線との成す角度αが、
−７°＜α＜５５°
を満たすことを特徴とする請求項６に記載の眼科装置。
【請求項８】
前記第一の光及び前記第二の光が前記被検眼に入射する角度の範囲が５５°以上であることを特徴とする請求項１乃至７のいずれか１項に記載の眼科装置。
【請求項９】
前記第一の光を前記眼底に向かう測定光と参照光とに分割する分割手段と、
前記測定光を照射した前記眼底からの戻り光と前記参照光とを合波させて干渉光を生成する干渉光生成手段と、を更に有し、
前記画像形成手段は、前記干渉光を前記第一の検出手段による検出結果に基づいて前記眼底の断層画像を形成することを特徴とする請求項１乃至８のいずれか１項に記載の眼科装置。
【請求項１０】
被検査物に対して第一の光を走査する第一の走査手段と、
前記第一の光とは異なる波長帯域であって、可視の波長帯域を含む前記波長帯域における複数の波長の第二の光を、前記被検査物に対して走査する第二の走査手段と、
前記被検査物に対する対物光学系として配置される楕円反射鏡である反射部材であって、前記第一の走査手段からの光と前記第二の走査手段からの光とを反射することにより、前記被検査物に照射する反射部材と、
前記第一の走査手段から前記反射部材への光路と前記第二の走査手段から前記反射部材への光路とに設けられ、前記第一の走査手段から前記被検査物への光路と前記第二の走査手段から前記被検査物への光路とを合成し、前記被検査物からの戻り光の光路を前記第一の走査手段が設けられた光路と前記第二の走査手段が設けられた光路とに分離する光路合成分離手段と、
前記第一の走査手段からの光が前記反射部材により照射された前記被検査物からの戻り光を検出する第一の検出手段と、
前記第二の走査手段からの光が前記反射部材により照射された前記被検査物からの戻り光を検出する第二の検出手段と、
前記第一の検出手段による検出結果に基づいて前記被検査物の第一の画像を形成し、前記第二の検出手段による検出結果に基づいて前記被検査物のカラー画像を含む第二の画像を形成し、前記第二の走査手段により前記被検査物に対して走査された励起光を用いて得た前記被検査物の蛍光画像を形成する画像形成手段と、を有し、
前記光路合成分離手段の反射光路は、前記光路合成分離手段に対して前記被検査物とは反対側に設けられることを特徴とする光学装置。
【請求項１１】
前記光路合成分離手段は、前記反射部材と前記第一の走査手段との間に且つ前記反射部材と前記第二の走査手段との間に設けられ、前記第一の光の波長と前記第二の光の波長とを分離する波長分離部材であることを特徴とする請求項１０に記載の光学装置。
【請求項１２】
前記第一の走査手段は、前記光路合成分離手段の透過光路及び反射光路のうち一方の光路における前記反射部材の焦点の位置に設けられ、
前記第二の走査手段は、前記光路合成分離手段の他方の光路における前記反射部材の焦点の位置に設けられることを特徴とする請求項１０または１１に記載の光学装置。
【請求項１３】
被検査物に対して第一の光を走査する第一の走査手段と、
前記第一の光とは異なる波長帯域であって、可視の波長帯域を含む前記波長帯域における複数の波長の第二の光を、前記被検査物に対して走査する第二の走査手段と、
前記被検査物に対する対物光学系として配置される楕円反射鏡である反射部材であって、前記第一の走査手段からの光と前記第二の走査手段からの光とを反射することにより、前記被検査物に照射する反射部材と、
前記第一の走査手段からの光が前記反射部材により照射された前記被検査物からの戻り光を検出する第一の検出手段と、
前記第二の走査手段からの光が前記反射部材により照射された前記被検査物からの戻り光を検出する第二の検出手段と、
前記反射部材から前記第一の検出手段までの光路と、前記反射部材から前記第二の検出手段までの光路との一部の光路を共通とするために、前記第一の光の波長と前記第二の光の波長とを分離する波長分離部材と、
前記第一の検出手段による検出結果に基づいて前記被検査物の第一の画像を形成し、前記第二の検出手段による検出結果に基づいて前記被検査物のカラー画像を含む第二の画像を形成し、前記第二の走査手段により前記被検査物に対して走査された励起光を用いて得た前記被検査物の蛍光画像を形成する画像形成手段と、を有し、
前記波長分離部材の反射光路は、前記波長分離部材に対して前記被検査物とは反対側に設けられることを特徴とする光学装置。
【請求項１４】
前記第一の走査手段は、前記波長分離部材の透過光路及び反射光路のうち一方の光路における前記反射部材の焦点の位置に設けられ、
前記第二の走査手段は、前記波長分離部材の他方の光路における前記反射部材の焦点の位置に設けられることを特徴とする請求項１３に記載の光学装置。
【請求項１５】
前記波長分離部材は、ダイクロイックミラーであることを特徴とする請求項１３または１４に記載の光学装置。
【手続補正２】
【補正対象書類名】明細書
【補正対象項目名】０００９
【補正方法】変更
【補正の内容】
【０００９】
本発明に係る眼科装置の一つは、
被検眼の眼底に照射する第一の光を出力する第一の光源と、
前記眼底に対して前記第一の光を走査する第一の走査手段と、
前記第一の光とは異なる波長帯域であって、可視の波長帯域を含む前記波長帯域における複数の波長の第二の光を出力する第二の光源と、
前記眼底に対して前記第二の光を走査する第二の走査手段と、
前記被検眼に対する対物光学系として配置される楕円反射鏡である反射部材であって、前記第一の走査手段からの光と前記第二の走査手段からの光とを反射することにより、前記眼底に照射する反射部材と、
前記第一の走査手段から前記反射部材への光路と前記第二の走査手段から前記反射部材への光路とに設けられ、前記第一の走査手段から前記眼底への光路と前記第二の走査手段から前記眼底への光路とを合成し、前記眼底からの戻り光の光路を前記第一の走査手段が設けられた光路と前記第二の走査手段が設けられた光路とに分離する光路合成分離手段と、
前記第一の走査手段からの光が前記反射部材により照射された前記眼底からの戻り光を検出する第一の検出手段と、
前記第二の走査手段からの光が前記反射部材により照射された前記眼底からの戻り光を検出する第二の検出手段と、
前記第一の検出手段による検出結果に基づいて前記眼底の第一の画像を形成し、前記第二の検出手段による検出結果に基づいて前記眼底のカラー画像を含む第二の画像を形成し、前記第二の走査手段により前記眼底に対して走査された励起光を用いて得た前記眼底の蛍光画像を形成する画像形成手段と、を有し、
前記光路合成分離手段の反射光路は、前記光路合成分離手段に対して前記被検眼とは反対側に設けられる。